(57)【要約】【課題】本発明は、容易に開封できない構成を有するとともに密封性を向上させた容器を提供する。【解決手段】本発明の容器は、下側に底壁部を有し、上側に側壁部で囲まれた開口部を有する容器本体と、側壁部の上端側に開口部に沿って結合された枠部と、枠部に第１方向に延びるヒンジ部を介して設けられ、ヒンジ部を支点として回動し開口部を開閉可能な蓋部と、ヒンジ部を支点とする回動先端側の位置で蓋部と枠部とを着脱可能に嵌合させる第１嵌合部と、第１嵌合部とヒンジ部との間の位置で蓋部と枠部とを着脱可能に嵌合させる第２嵌合部と、を備え、蓋部は、ヒンジ部が設けられた第１辺と、第１辺に対して傾斜するとともに第１辺の両側から互いに相反する方向へ延在する一対の第２辺と、一対の第２辺を介して第１辺と対向する位置に第１辺に平行する第３辺とを有し、第１嵌合部が第３辺に設けられ、第２嵌合部が一対の第２辺にそれぞれ設けられている。【選択図】図１
2017171346.tif 000002
【特許請求の範囲】
【請求項１】
下側に底壁部を有し、上側に側壁部で囲まれた開口部を有する容器本体と、
前記側壁部の上端側に前記開口部に沿って結合された枠部と、
前記枠部に第１方向に延びるヒンジ部を介して設けられ、前記ヒンジ部を支点として回動し前記開口部を開閉可能な蓋部と、
前記ヒンジ部を支点とする回動先端側の位置で前記蓋部と前記枠部とを着脱可能に嵌合させる第１嵌合部と、
前記第１嵌合部と前記ヒンジ部との間の位置で前記蓋部と前記枠部とを着脱可能に嵌合させる第２嵌合部と、を備え、
平面視多角形状をなす前記蓋部は、前記ヒンジ部が設けられた第１辺と、前記第１辺に対して傾斜するとともに前記第１辺の両側から互いに相反する方向へ延在する一対の第２辺と、前記一対の第２辺を介して前記第１辺と対向する位置に前記第１辺に平行する第３辺とを有し、
前記第１嵌合部が前記第３辺に設けられ、
前記第２嵌合部が前記一対の第２辺にそれぞれ設けられている、容器。
【請求項２】
前記一対の第２辺は、互いに遠ざかる方向へ延在する、請求項１に記載の容器。
【請求項３】
前記第１辺と前記第３辺との間に少なくとも１つの節部が存在する、請求項１または２に記載の容器。
【請求項４】
前記蓋部は、前記一対の第２辺のそれぞれと前記第３辺との間に、前記第３辺に向かって互いに近づくように傾斜する一対の第４辺を有する、請求項３に記載の容器。
【請求項５】
前記蓋部は、平面視形状が六角形状をなす、請求項１から４のいずれか一項に記載の容器。
【請求項６】
前記蓋部は、前記第１方向に沿う長さが、前記第１方向に交差する方向に沿う長さよりも長い形状とされている、請求項１から５のいずれか一項に記載の容器。
【請求項７】
前記蓋部には、前記枠部に対向する内側に複数のリブを有しており、
前記複数のリブが前記蓋部の周方向に直交する姿勢で設けられている、請求項１から６のいずれか一項に記載の容器。
【発明の詳細な説明】
【技術分野】
【０００１】
本発明は、容器に関し、例えば、チャイルドプルーフに適した容器に関するものである。
【背景技術】
【０００２】
衣料用洗剤、食器用洗剤など一般家庭向けに用途別に多くの種類の洗浄剤が販売されている。例えば、衣料用洗剤分野では、粉体状や液体状の洗剤が存在し、濃縮化によるコンパクト化が進み、消費者が使用する際には所要量を的確に計量できるように計量スプーンが供えられたものが提供されている。近年、消費者のライフスタイルの変化により、洗剤組成物に手指を触れることなく取り出せ、計量済みの、予め小分けされた洗浄剤が販売されている（特許文献１参照）。
【０００３】
従来、小分けされた洗剤タイプとして、固形タイプ（粉体を錠剤化し、表面をＰＶＡ等で被覆）やシートタイプ（ペースト化した洗剤をＰＶＡ等で挟む）が存在し、近年、濃縮洗剤をＰＶＡフィルム等で被覆した液状タイプも販売されている。いずれの洗剤タイプにおいても、洗剤組成物を小分け形態とするためにＰＶＡフィルムで被覆し、所定数を容器に包装して販売し、消費者は容器を開封して洗濯時に必要数取り出して使用していた。小分けされた洗浄剤を包装する容器としては、例えば、特許文献２に記載されているように、容器ベースと、容器ベースにヒンジ接合された容器蓋とを備え、容器ベースと容器蓋とがヒンジ接合部を支点とした回動先端部で開閉可能に係合する容器を用いることが考えられる。
【先行技術文献】
【特許文献】
【０００４】
【特許文献１】特表２００４−５２５０３８号公報
【特許文献２】特表２００３−５１４７３０号公報
【発明の概要】
【発明が解決しようとする課題】
【０００５】
しかしながら、上述したような従来の容器では、蓋部を操作して開封することが容易であるため誤食や誤飲の可能性があり、チャイルドプルーフ対応の観点から子供が容器を容易に開封できない構成が必要であった。また、容器開封後、密封が不充分な場合にＰＶＡフィルムが吸湿して洗剤同士が接着してしまい、取り扱いによってはフィルムが破れ周囲を汚損する場合があるため、密封性を向上させる必要がある。
【０００６】
本発明は、以上のような点を考慮してなされたもので、容易に開封できない構成を有するとともに密封性を向上させた容器を提供することを目的とする。
【課題を解決するための手段】
【０００７】
本発明の一態様における容器は、下側に底壁部を有し、上側に側壁部で囲まれた開口部を有する容器本体と、前記側壁部の上端側に前記開口部に沿って結合された枠部と、前記枠部に第１方向に延びるヒンジ部を介して設けられ、前記ヒンジ部を支点として回動し前記開口部を開閉可能な蓋部と、前記ヒンジ部を支点とする回動先端側の位置で前記蓋部と前記枠部とを着脱可能に嵌合させる第１嵌合部と、前記第１嵌合部と前記ヒンジ部との間の位置で前記蓋部と前記枠部とを着脱可能に嵌合させる第２嵌合部と、を備え、平面視多角形状をなす前記蓋部は、前記ヒンジ部が設けられた第１辺と、前記第１辺に対して傾斜するとともに前記第１辺の両側から互いに相反する方向へ延在する一対の第２辺と、前記一対の第２辺を介して前記第１辺と対向する位置に前記第１辺に平行する第３辺とを有し、前記第１嵌合部が前記第３辺に設けられ、前記第２嵌合部が前記一対の第２辺にそれぞれ設けられている。
【０００８】
また、本発明の一態様における容器においては、前記一対の第２辺は、互いに遠ざかる方向へ延在する構成としてもよい。
【０００９】
また、本発明の一態様における容器においては、前記第１辺と前記第３辺との間に少なくとも１つの節部が存在する構成としてもよい。
【００１０】
また、本発明の一態様における容器においては、前記蓋部は、前記一対の第２辺のそれぞれと前記第３辺との間に、前記第３辺に向かって互いに近づくように傾斜する一対の第４辺を有する構成としてもよい。
【００１１】
また、本発明の一態様における容器においては、前記蓋部は、平面視形状が六角形状をなす構成としてもよい。
【００１２】
また、本発明の一態様における容器においては、前記蓋部は、前記第１方向に沿う長さが、前記第１方向に交差する方向に沿う長さよりも長い形状とされている構成としてもよい。
【００１３】
また、本発明の一態様における容器においては、前記蓋部には、前記枠部に対向する内側に複数のリブを有しており、前記複数のリブが前記蓋部の周方向に直交する姿勢で設けられている構成としてもよい。
【発明の効果】
【００１４】
本発明では、チャイルドプルーフに対応した容易に開封できない構成を有する容器を提供することができる。
【図面の簡単な説明】
【００１５】
【図１】容器の分解斜視図。
【図２】容器の外観斜視図。
【図３】図２におけるＡ−Ａ線視における部分断面図。
【図４】図２に示した容器の右側面図。
【図５】図４に示す容器において、蓋部が開いた状態を示す図。
【図６】蓋部の図示を省略した容器の平面図。
【図７】図２におけるＢ−Ｂ線に沿う断面図。
【図８】図２におけるＣ−Ｃ線視における断面図。
【発明を実施するための形態】
【００１６】
［一実施形態］
以下、本発明の容器の一実施形態を説明する。
ここでは、容器が平面視略六角形である場合の例を用いて説明する。
図１は、容器１の分解斜視図である。図２は、容器１の外観斜視図である。
なお、以下の説明においては、各図に示す容器１の高さ方向であり鉛直方向をＺ方向（Ｚ軸）、平面視したときの容器１の長手方向をＸ方向（Ｘ軸）、容器１の短手方向をＹ方向（Ｙ軸）として適宜説明する。
【００１７】
「容器」
図１及び図２に示す容器１は、容器本体５０と蓋体１０とを備えている。容器本体５０は、例えば、ポリエチレン等の合成樹脂材で形成されている。容器本体５０としては、内容物が視認可能な透明または半透明であっても不透明であってもよい。容器本体５０は、収容物の種類によっては紫外線吸収剤を含んでもよい。容器本体５０は、例えば、ブロー成形やインジェクション成形によって形成されている。
【００１８】
容器本体５０は、底壁部６０および側壁部７０を有している。底壁部６０は、側壁部７０の−Ｚ側（下端側）にＸＹ平面と平行に配置されている。側壁部７０は、底壁部６０の周縁から＋Ｚ側に立設されている。容器本体５０は、底壁部６０および側壁部７０によって囲まれた収容空間５５を有している。側壁部７０は、＋Ｚ側（上端側）に収容空間５５が開口する開口部５６を形成している。
【００１９】
図３は、図２におけるＡ−Ａ線視における部分断面図である。
図１及び図３に示されるように、側壁部７０の＋Ｚ側の端部には、ＸＹ平面と平行に外側に張り出す張り出し部５１が全周に亘って設けられている。
【００２０】
図４は、図２に示した容器１の右側面図である。
図５は、図４に示す容器１において、蓋部が開いた状態を示す図である。
図６は、蓋部２０の図示を省略した容器１の平面図である。
【００２１】
図２及び図４に示すように、蓋体１０は、蓋部２０、枠部４０（図１）、ヒンジ部３０、第１嵌合部６０Ａ，６０Ｂ、および第２嵌合部７０Ａ〜７０Ｄを有している。蓋体１０は、例えばポリプロピレン等の合成樹脂材で形成されている。蓋体１０は、例えば、インジェクション成形によって一体的に形成されている。
【００２２】
枠部４０は、図１に示すように、側壁部７０の＋Ｚ側端部に開口部５６に沿って全周に亘って結合されている。枠部４０は、図６に示すように、長辺部（第１辺）４８Ａ，長辺部（第３辺）４８Ｂと、斜辺部（第２辺）４９Ａ，斜辺部（第４辺）４９Ｂ，斜辺部（第４辺）４９Ｃ，斜辺部（第２辺）４９Ｄと、を有する平面視略六角形状に形成されている。隣り合う斜辺部４９Ａと斜辺部４９Ｂとの間には湾曲面からなる節部４７が存在し、斜辺部４９Ｃと斜辺部４９Ｄとの間にも節部４７が存在する。
【００２３】
枠部４０は、図３に示すように、内側壁部４１、外側壁部４２および上側壁部４４を有している。上側壁部４４は、張り出し部５１の上方に、側壁部７０の内側および外側に跨る長さでＸＹ平面と平行に配置されている。内側壁部４１は、上側壁部４４の内側端部から−Ｚ側に延出している。外側壁部４２は、上側壁部４４の外側端部から−Ｚ側に延出し、張り出し部５１に外側から嵌合する。外側壁部４２は、側壁部７０と対向する位置に爪部４３が設けられている。爪部４３は、−Ｚ側から張り出し部５１に係合するものであり、周方向に間隔をあけて複数設けられている。爪部４３は、内側（側壁部７０）に向かうに従って漸次＋Ｚ側に向かう斜面を有している。
【００２４】
枠部４０は、内側壁部４１と外側壁部４２との間に側壁部７０および張り出し部５１が位置した状態で−Ｚ側に相対移動したときに、爪部４３の斜面が張り出し部５１の外側に摺動しながら外側壁部４２が外側に弾性変形する。そして、爪部４３が張り出し部５１よりも−Ｚ側の位置に達すると、外側壁部４２の弾性復元力により爪部４３が張り出し部５１の−Ｚ側に移動して係合することにより、枠部４０と張り出し部５１とが結合される。
すなわち、枠部４０と容器本体５０とが結合される。
【００２５】
ヒンジ部３０は、Ｘ軸方向（第１方向）に延びて形成されており、枠部４０と蓋部２０とを接続している。ヒンジ部３０は、枠部４０の長辺部４８Ａの外側に接続されている。
ヒンジ部３０は、長辺部４８Ａの長さよりも短い長さに形成されている。ヒンジ部３０は、例えば、外側壁部４２の−Ｚ側端部に外側壁部４２よりも薄く形成されていることにより、ヒンジ部３０を支点とする蓋部２０の枠部４０に対する回動を可能としている。
【００２６】
蓋部２０は、図２に示すように、長辺部（第１辺）２８Ａ，長辺部（第３辺）２８Ｂと、斜辺部（第２辺）２９Ａ，斜辺部（第４辺）２９Ｂ，斜辺部（第４辺）２９Ｃ，斜辺部（第２辺）２９Ｄと、を有する平面視略六角形状に形成されている。隣り合う斜辺部２９Ａ，２９Ｂの間には湾曲面からなる節部２７が存在し、斜辺部２９Ｃ，２９Ｄの間にも節部２７が存在する。
【００２７】
蓋部２０は、図４及び図５に示すように、ヒンジ部３０を支点としてＸ軸と平行な軸回りに回動することにより、容器本体５０の開口部５６を開閉可能である。蓋部２０は、図２に示すように、平面視で中央部分に配置された平板部２１と、平板部２１の周囲に配置された湾曲部２２と、湾曲部２２の周囲に配置され開口部５６を閉塞した際に枠部４０と嵌り合う周辺部２３と、を有している。周辺部２３は、図３に示すように、枠部４０の内側壁部４１に内側から当接する内側壁部２４と、枠部４０の外側壁部４２に外側から当接する外側壁部２５と、を有している。
【００２８】
第１嵌合部６０Ａ，６０Ｂは、図１及び図２に示すように、蓋部２０の回動先端側の位置で蓋部２０と枠部４０とを着脱自在に嵌合させる。第１嵌合部６０Ａ，６０Ｂは、容器１のＸ方向の中心を挟んだ略等距離に互いに間隔をあけて配置されている。
【００２９】
なお、第１嵌合部６０Ａ，６０Ｂの構成は同様であるため、第１嵌合部６０Ｂの構成要素については、図中、第１嵌合部６０Ａの構成要素の符号に対して「Ｂ」の添字を付し、以下では第１嵌合部６０Ａについてのみ説明する。
【００３０】
「第１嵌合部」
図７は、図２におけるＢ−Ｂ線視における断面図であり、第１嵌合部６０Ａの要部詳細図である。
図７に示すように、第１嵌合部６０Ａは、第１係合凸部４６Ａと第１係合凹部６２Ａとを含む。第１係合凸部４６Ａは、枠部４０における外側壁部４２の長辺部４８Ｂから外側（−Ｙ側）に突出して設けられている。第１係合凸部４６Ａは、−Ｙ側に向かうに従って、漸次−Ｚ側に向かう方向に湾曲する形状に形成されている。
【００３１】
第１係合凹部６２Ａは、蓋部２０における外側壁部２５の長辺部２８Ｂから−Ｚ側に延出して設けられている。第１係合凹部６２Ａは、Ｘ方向について、第１係合凸部４６Ａと同一位置に配置されている。第１係合凹部６２Ａは、蓋部２０が開口部５６を閉塞したときに、第１係合凸部４６Ａと対向する位置に第１係合凸部４６Ａと嵌合する孔部３１Ａと、孔部３１Ａの−Ｚ側に延出して配置された第１把持部３２Ａとを有している。第１係合凸部４６Ａが孔部３１Ａに嵌合することにより（適宜、図１及び図２参照）、第１係合凹部６２Ａにおける第１把持部３２Ａの＋Ｚ側の端面が第１係合凸部４６Ａの−Ｚ側の端面と係合する係合面３６Ａが形成され、開口部５６が開放される方向への蓋部２０の回動が規制される。
【００３２】
第１嵌合部６０Ａ（第１嵌合部６０Ｂ）における周辺部２３の−Ｚ側の面には、複数のリブ１４が設けられている。複数のリブ１４には、Ｘ方向に延びるものと、Ｙ方向に延びて内側壁部２４と外側壁部２５とを接続するものとがあり、それぞれ間隔をあけて格子状に設けられている。リブ１４が設けられていることにより、蓋部２０は第１嵌合部６０Ａ（第１嵌合部６０Ｂ）が配置された領域の変形が抑制される。
【００３３】
「第２嵌合部」
図８は、図２におけるＣ−Ｃ線に沿う断面図であり、第２嵌合部７０Ａの要部詳細図である。
第２嵌合部７０Ａ〜７０Ｄは、図１及び図２に示したように、蓋部２０及び枠部４０の各斜辺部に配置されている。第２嵌合部７０Ａは斜辺部２９Ａ、４９Ａに配置され、第２嵌合部７０Ｂは斜辺部２９Ｂ、４９Ｂに配置され、第２嵌合部７０Ｃは斜辺部２９Ｃ、４９Ｃに配置され、第２嵌合部７０Ｄは斜辺部２９Ｄ、４９Ｄに配置されている。なお、７０Ａ〜７０Ｄの構成は同様であるため、以下では第２嵌合部７０Ａについてのみ説明する。
【００３４】
図８に示すように、第２嵌合部７０Ａは、第２係合凸部２６Ａと第２係合凹部２１Ａとを含む。第２係合凸部２６Ａは、枠部４０における外側壁部４２の斜辺部２９Ａから外側に突出して設けられている。第２係合凸部２６Ａは、外側に向かうにしたがって、漸次−Ｚ側に向かう方向に湾曲する形状に形成されている。
【００３５】
第２係合凹部２１Ａは、蓋部２０における外側壁部２５の斜辺部２９Ａに設けられている。第２係合凹部２１Ａは、蓋部２０が開口部５６を閉塞したときに、第２係合凸部２６Ａと対向する位置に第２係合凸部２６Ａと嵌合する孔部３３Ａを有している。図４に示すように、孔部３３Ａよりも−Ｚ側に位置する外側壁部２５には、第２把持部３４Ａが−Ｚ側に突出して設けられている。図８に示すように、第２係合凸部２６Ａが孔部３３Ａに嵌合することにより、第２係合凹部２１Ａにおける第２把持部３４Ａの＋Ｚ側の端面が第２係合凸部２６Ａの−Ｚ側の端面と係合可能となり、開口部５６が開放される方向への蓋部２０の回動が規制される。
【００３６】
図８に示すように、第２嵌合部７０Ａ〜７０Ｄにおける各周辺には、外側壁部２５の内側にリブ１５が設けられている。リブ１５は、Ｘ軸方向に延びるものと、Ｙ軸方向で内側壁部２４と外側壁部２５とを接続するものがそれぞれ間隔をあけて格子状に設けられている。リブ１５が設けられていることにより、蓋部２０のうち、第２嵌合部７０Ａ〜７０Ｄが配置された領域の変形が抑制される。
【００３７】
次に、容器１の作用について説明する。
容器１において、開口部５６を閉塞するには、例えば、図５に示される開放状態の蓋部２０を操作して、ヒンジ部３０を支点として反時計回り方向に回動する。平面視略六角形状を呈する蓋部２０の回動により、回動中心であるヒンジ部３０に近い、第２嵌合部７０Ａ，７０Ｄが先に嵌合する。さらに蓋部２０の回動が進むと、第２嵌合部７０Ｂ，７０Ｃが嵌合し、最後に第１嵌合部６０Ａ，６０Ｂ嵌合する。
【００３８】
これら各第２嵌合部７０Ａ〜７０Ｄにおいては、蓋部２０の回動が進むのにしたがって、外側壁部２５のうち、まず、孔部３３Ａ，３３Ｄのそれぞれから下方に延出する第２把持部３４Ａ，３４Ｄが、枠部４０側の第２係合凸部２６Ａ，２６Ｄを乗り越えるように外側に弾性変形して撓む。蓋部２０側の孔部３３Ａ，３３Ｄが、枠部４０側の第２係合凸部２６Ａ，２６Ｄと対向する位置に達すると、弾性復元力によって第２把持部３４Ａ，３４Ｄの変形が戻り、第２係合凸部２６Ａ及び第２係合凸部２６Ｄが孔部３３Ａ及び孔部３３Ｄにそれぞれ嵌合する。その後、続けて第２係合凸部２６Ｂ及び第２係合凸部２６Ｃが孔部３３Ｂ及び孔部３３Ｃにそれぞれ嵌合する。このようにして全ての第２嵌合部７０Ａ〜７０Ｄが嵌合する。
【００３９】
そして、第１嵌合部６０Ａ、６０Ｂにおいては、蓋部２０の回動がさらに進むのにしたがって、孔部３１Ａ及び孔部３１Ｂのそれぞれから下方に延出する第１把持部３２Ａ、第１把持部３２Ｂが、枠部４０側の第１係合凸部４６Ａ、第１係合凸部４６Ｂを乗り越えるように外側に弾性変形して撓む。蓋部２０の回動が進み、枠部４０側の第１係合凸部４６Ａ、４６Ｂと、蓋部２０側の孔部３１Ａ、３１Ｂと、が対向する位置に達すると、弾性復元力により第１把持部３２Ａ、３２Ｂの変形が戻り、第１係合凸部４６Ａ、４６Ｂが孔部３１Ａ、３１Ｂにそれぞれ嵌合する。このようにして２つの第１嵌合部６０Ａ，６０Ｂが嵌合する。
【００４０】
これにより、第１嵌合部６０Ａ，６０Ｂ及び第２嵌合部７０Ａ〜７０Ｄにおいて、開口部５６が解放される方向への蓋部２０の回動が規制される。
【００４１】
ここで、蓋部２０の開閉操作を、第１嵌合部６０Ａ，６０Ｂの近傍を持って行う際、従来のように平面視長方形状の容器の場合には、ヒンジ部３０の回転軸に対して直交する両側の側辺に第２嵌合部がそれぞれ設けられている。このため、第２把持部と第２係合凸部との当接による抵抗で、第２嵌合部の位置において回動方向とは逆側への蓋部２０の撓みが大きくなる。その結果、第１嵌合部６０Ａ、６０Ｂにおいて第１係合凸部４６Ａ、４６Ｂと孔部３１Ａ、３１Ｂとの嵌合が完了しても、一対の第２嵌合部のいずれかにおいて第２係合凸部と孔部との嵌合が完了せず、蓋部２０による開口部５６の閉塞（密封性）が不十分の状態となる可能性がある。
【００４２】
これに対して本実施形態では、平面視六角形状の容器１とされており、蓋部２０及び枠部４０のうち第２嵌合部７０Ａ，７０Ｄは、ヒンジ部３０に最も近く、ヒンジ部３０との距離が短くなっている。そのため、第２把持部３４Ａ、３４Ｄと第２係合凸部２６Ａ、２６Ｄとの当接時に生じる第２嵌合部７０Ａ、７０Ｄの位置における回動方向とは逆側への蓋部２０の撓みが小さくなる。そのため、従来の構成よりも、第２把持部３４Ａ〜３４Ｄと第２係合凸部２６Ａ〜２６Ｄとの当接による抵抗が小さく、スムーズに嵌合する。また、第２嵌合部７０Ｂ，７０Ｃと第２嵌合部７０Ａ，７０Ｄとの距離は、第２嵌合部７０Ａ，７０Ｄとヒンジ部３０との距離に略等しい。
【００４３】
さらに、本実施形態の容器１は平面視六角形状であることから、ヒンジ部３０の回転軸に対して傾斜した蓋部２０の斜辺部２９Ａ〜２９Ｄおよび枠部４０の４９Ａ〜４９Ｄに、第２嵌合部７０Ａ〜７０Ｄが設けられている。そのため、本実施形態の第２嵌合部７０Ａ〜７０Ｄでは、従来のように平面視長方形状を呈する容器においてヒンジ部３０の回転軸に直交する側部に設けられた第２嵌合部に掛かる曲げモーメントよりも、少ない曲げモーメントで対応（嵌合）することができる。
【００４４】
よって、第１嵌合部６０Ａ、６０Ｂにおいて第１係合凸部４６Ａ、４６Ｂと孔部３１Ａ、３１Ｂとの嵌合が完了したときには、第２嵌合部７０Ａ、７０Ｄの第２係合凸部２６Ａ、２６Ｄと孔部３３Ａ、３３Ｄとの嵌合が完了するとともに、第２嵌合部７０Ｂ、７０Ｃの第２係合凸部２６Ｂ、２６Ｃと孔部３３Ｂ、３３Ｃとの嵌合が完了しており、蓋部２０による開口部５６の閉塞が完了する。
【００４５】
このように、開口部５６を閉塞するためには、第１嵌合部６０Ａ，６０Ｂだけでなく、第２嵌合部７０Ａ〜７０Ｄを確実に嵌合させる必要がある。本実施形態の容器１では、第２嵌合部７０Ａ〜７０Ｄのそれぞれを、蓋部２０の回転軸に対して斜めに延在する線分（斜辺部）上に配置したことにより、各第２係合凸部２６Ａ〜２６Ｄと各孔部３３Ａ〜３３Ｄとの当接時の抵抗が小さくなり、蓋部２０の回動に応じて第２嵌合部７０Ａ〜７０Ｄにおける嵌合を完了させることができる。これにより、蓋部２０による密封性が向上し、収容空間５５内に収容される洗剤等の品質を長期的に維持することが可能となる。
【００４６】
容器１において、開口部５６を開放するには、例えば、操作者の一方の手で第１嵌合部６０Ａ，６０Ｂにおける第１把持部３２Ａ，３２Ｂを把持して外側に撓ませて、第１係合凸部４６Ａ，４６Ｂと孔部３１Ａ，３１Ｂとの嵌合を解除させる。第１嵌合部６０Ａ，６０Ｂの嵌合を解除して蓋部２０を回動させると、まず、第２嵌合部７０Ｂ，７０Ｃの嵌合が解除され、続いて第２嵌合部７０Ａ，７０Ｄの嵌合が解除されて、開口部５６を開放させることができる。
【００４７】
このように、開口部５６を開放するためには、第１嵌合部６０Ａ，６０Ｂだけでなく、第２嵌合部７０Ａ〜７０Ｄを解除する必要があるため、子供では容易に開封することができず、チャイルドプルーフとして機能することになる。
【００４８】
以上、添付図面を参照しながら本発明に係る好適な実施形態について説明したが、本発明は係る例に限定されないことは言うまでもない。当業者であれば、特許請求の範囲に記載された技術的思想の範疇内において、各種の変更例または修正例に想到し得ることは明らかであり、それらについても当然に本発明の技術的範囲に属するものと了解される。
【００４９】
先の実施形態では、平面視略六角形状を呈する容器の構成を一例として述べたが、容器の形状は上述した構成に限らない。
例えば、ヒンジ部３０の回転軸に対して傾斜するとともに、ヒンジ部３０の両側から互いに相反する方向へ延在する一対の第１線分（上記斜辺部）を有し、一対の第１線分のそれぞれに第２係合部が位置している構成が好ましい（平面視略三角形状、平面視略台形状を含む）。
【００５０】
また、一対の第１線分をそれぞれ複数の線分に分割する節部を少なくとも１つずつ有し、ヒンジ部３０に最も近い一対の第２線分が互いに遠ざかる方向へ延び、これら第２線分上に第２嵌合部がそれぞれ位置している構成が好ましい（平面視略台形状、平面視略六角形状、平面視略八角形状を含む）。
例えば、上記実施形態では、４つの斜辺部２９Ａ（４９Ａ）〜２９Ｄ（２９Ｄ）にそれぞれ第２嵌合部７０Ａ〜７０Ｄを設けたが、ヒンジ部３０側の２つの斜辺部２９Ａ（４９Ａ），２９Ｄ（２９Ｄ）にだけ第２嵌合部７０Ａ，７０Ｄを設けてもよい。ヒンジ部３０に近い斜辺に第２嵌合部を設けることで、嵌合時の当接抵抗が低くなり、嵌合しやすい。また、平面視八角形状の場合は回転軸に垂直な線分が存在するが、嵌合しやすさの点から、回転軸に対して傾斜した線分上に第２嵌合部を設ける方が好適である。
【符号の説明】
【００５１】
１…容器、１４，１５…リブ、２０…蓋部、２７…湾曲部（節）、２８Ａ，４８Ａ…長辺部（第１辺）、２８Ｂ，４８Ｂ…長辺部（第３辺）、２９Ａ，２９Ｄ，４９Ａ，４９Ｄ…斜辺部（第２辺）、２９Ｂ，４９Ｂ，２９Ｃ，４９Ｃ…斜辺部（第４辺）、３０…ヒンジ部、４０…枠部、４７…節部、５０…容器本体、５６…開口部、６０…底壁部、６０Ａ，６０Ｂ…第１嵌合部、７０…側壁部、７０Ａ，７０Ｂ，７０Ｃ，７０Ｄ…第２嵌合部
【図１】
2017171346.tif 000003
【図２】
2017171346.tif 000004
【図３】
2017171346.tif 000005
【図４】
2017171346.tif 000006
【図５】
2017171346.tif 000007
【図６】
2017171346.tif 000008
【図７】
2017171346.tif 000009
【図８】
2017171346.tif 000010